(57)【要約】      （修正有）【課題】通過した空気中の活性酸素を無害化できるエアフィルタを提供する。【解決手段】基材にブドウ、コーヒー、月見草、エルダーベリー、ボイセンベリーのいずれか由来のポリフェノール類を担持させることにより、スーパーオキシドアニオンラジカル、ヒドロキシルラジカル、過酸化水素、一酸化窒素、オゾン、過酸化脂質などの活性酸素を無害化でき、空気清浄機やマスク用濾材に好適に用いることができる。また、基材に活性炭、シリカゲルを含ませることも可能である。【選択図】なし【特許請求の範囲】
【請求項１】
基材にブドウ、コーヒー、月見草、エルダーベリー、ボイセンベリーのいずれか由来のポリフェノール類を担持させてなるエアフィルタ。
【請求項２】
前記ポリフェノール類がブドウ果皮由来アントシアニンである請求項１に記載のエアフィルタ。
【請求項３】
前記基材に活性炭を含む請求項１に記載のエアフィルタ。
【請求項４】
前記基材がシリカゲルを含む請求項１に記載のエアフィルタ。
【発明の詳細な説明】
【技術分野】
【０００１】
本発明は、通過した空気中の活性酸素を無害化することを特徴とする空気清浄機やマスク用濾材に好適に用いることができるエアフィルタに関する。
【背景技術】
【０００２】
空気浄化用フィルタの分野では、除塵、脱臭のみならず、各種細菌、カビ、ウィルス、アレルゲン物質などの有害物質を除去するフィルタ濾材について、これまで様々なものが提案されてきた。しかし、空気中の活性酸素を効率的に無害化できるエアフィルタの提案はこれまでなかった。
【０００３】
特許文献１には、茶の抽出成分を添着した不織布を耳に留める紐で構成された抗ウィルスマスクが開示されている。この構成のフィルタであれば、本願の目的とする活性酸素の無害化が可能である可能性はあるが、茶の抽出物は独特の特異臭を有する、水への分散性が低いなどフィルタへの応用に必ずしも適していない。
【０００４】
【特許文献１】特開平８−３３３２７１号公報
【発明の開示】
【発明が解決しようとする課題】
【０００５】
本発明は、通過した空気中の活性酸素を無害化できるエアフィルタを提供することを課題とするものである。
【課題を解決するための手段】
【０００６】
本発明者らは、効率よく空気中の活性酸素を無害化できるエアフィルタの担持物に関して鋭意検討した結果、抗酸化剤としてブドウ、コーヒー、月見草、エルダーベリー、ボイセンベリーのいずれか由来のポリフェノール類を利用すると高い性能が得られることを見出し、ついに本願発明を完成するに到った。
【０００７】
ここでいう活性酸素とは、酸素が化学的に活性になったもので、強い酸化力を有するものである。具体的には、スーパーオキシドアニオンラジカル、ヒドロキシルラジカル、過酸化水素、一酸化窒素、オゾン、過酸化脂質などを挙げることができる。
【０００８】
即ち本発明は、以下の通りである。
１．基材にブドウ、コーヒー、月見草、エルダーベリー、ボイセンベリーのいずれか由来のポリフェノール類を担持させてなるエアフィルタ。
２．前記ポリフェノール類がブドウ果皮由来アントシアニンである上記１に記載のエアフィルタ。
３．前記基材に活性炭を含む上記１に記載のエアフィルタ。
４．前記基材がシリカゲルを含むことを特徴とする上記１に記載のエアフィルタ。
【発明の効果】
【０００９】
本発明のエアフィルタは基材に抗酸化剤としてブドウ、コーヒー、月見草、エルダーベリー、ボイセンベリーのいずれか由来のポリフェノール類を担持することで効率よく空気中の活性酸素を無害化できる。空気中の活性酸素は人体にも悪影響を及ぼし、様々な疾患の原因となることが知られており、これを無害化できることは大変有意義である。
【発明を実施するための最良の形態】
【００１０】
本願発明にかかるフィルタは、抗酸化剤としてブドウ、コーヒー、月見草、エルダーベリー、ボイセンベリーのいずれか由来のポリフェノール類を担持させていることが好ましい。ここに挙げたポリフェノール類は、（１）臭気が少なく、（２）水への分散性が良好で加工性がよく、（３）フィルタに加工した際の活性酸素除去性能が高く、（４）植物由来であり商品イメージが良く、（５）植物由来であり安全性が高く、（６）食品添加物として利用できるグレードの素材が安価に安定的に入手可能であり、（７）例えばポリエステル等の高分子素材との親和性が優れており、表面上に均一に皮膜を形成することが可能であるという点において、エアフィルタに応用する素材として好適である。
【００１１】
本願発明にかかるフィルタは、ブドウ果皮由来アントシアニンを担持させていることがより好ましい。前記（１）から（７）の性質において、ブドウ果皮由来アントシアニンは特に優れているからである。また、ブドウを加工食品として使用した後に発生する残渣より抽出されるものであり、環境面においても優れている。
【００１２】
基材の形態は、フィルム、スパンボンド不織布、スパンレース不織布、ニードルパンチ不織布、メルトブロー不織布、フラッシュ紡糸不織布、サーマルボンド不織布、ケミカルボンド不織布、ステッチボンド不織布、および湿式抄紙不織布など不織布、あるいは織物、紙などシートの形態を成すものが挙げられる。また、基材の形態がシート状である場合、その目付は特に限定されないが、好ましい範囲を例示すると１０ｇ／ｍ２から２００ｇ／ｍ２である。１０ｇ／ｍ２未満だと空気中の活性酸素との接触頻度が低くなり、高い効果を期待できない。また２００ｇ／ｍ２超えるとフィルタとして用いた場合の圧力損失が大きくなるためである。
【００１３】
本発明のエアフィルタの基材の素材として、ポリエステル、ポリエチレン、ポリプロピレン、アクリル、ナイロン、ポリオレフィン系、レーヨン、セルロース、パルプ等が挙げられるが、特に限定はするものではない。
【００１４】
ポリフェノール類の基材への担持の方法としては、基材を適当な濃度のポリフェノール類水溶液に含浸し、適当な温度および時間で乾燥する方法が好ましい例として挙げられる。ここで用いるポリフェノール類水溶液は、各々ポリフェノール類の活性発現に適したｐＨに調節されることが好ましい。これは、ポリフェノール類はその種類によって活性発現に適したｐＨが異なり、通常はそのｐＨ付近でないと十分な活性の発現は得られないためである。また、乾燥温度と時間は、担持するポリフェノール類が変性により失活しない温度にすることが重要である。ポリフェノール類はその種類によって耐熱性が異なる。通常は高温で乾燥させた方が短時間で処理が済み効率が良いが、ポリフェノール類の耐熱性を考慮して乾燥条件を決めることが好ましい。
【００１５】
ここでいうポリフェノール類とは、分子内に複数のフェノール性ヒドロキシル基（ベンゼン環、ナフタレン環などの芳香環に結合したヒドロキシル基）を有する分子のことであり、フラボノイド（カテキン、アントシアニン、タンニン、ルチン、イソフラボン等）、フェノール酸（クロロゲン酸等）、エラグ酸、リグナン、クルクミン、クマリン等を挙げることができるが、これに限るものではない。
【実施例】
【００１６】
以下、実施例により本発明を詳細に説明するが、これによって本発明はなんら限定されるものではない。
【００１７】
＜実施例１＞
１００ｍＭ  Ｔｒｉｓ−ＨＣｌ緩衝液（ｐＨ６．０）にブドウ由来アントシアニンを５重量％になるように懸濁して添着液を調製した。この添着液に、基材（４０ｇ／ｍ２の熱カレンダータイプのポリプロピレン／ポリエチレン複合繊維からなる不織布）を１分間含浸した後、取り出して余分な付着水分を取り除き、８０℃の温度に保持した熱風乾燥機中で３分間乾燥し、サンプルフィルタを調製した。
【００１８】
＜比較例１＞
１００ｍＭ  Ｔｒｉｓ−ＨＣｌ緩衝液（ｐＨ６．０）に、基材（４０ｇ／ｍ２の熱カレンダータイプのポリプロピレン／ポリエチレン複合繊維からなる不織布）を１分間含浸した後、取り出して余分な付着水分を取り除き、８０℃の温度に保持した熱風乾燥機中で３分間乾燥し、サンプルフィルタを調製した。
【００１９】
（一酸化窒素無害化試験：試験例１）
テドラーバック（容量５Ｌ）にサンプルフィルタを入れ、密封後、真空ポンプにてバック内の空気を除いた。その後、２５ｐｐｍの一酸化窒素４Ｌをテドラーバックに封入し、気体検知管にて初期濃度を測定した。８時間静置後、一酸化窒素濃度を気体検知管にて測定した。
【００２０】
（オゾン無害化試験：試験例２）
直径６０ｍｍの円筒形カラムの中ほどにサンプルフィルタをセットし、オゾン発生器（日本オゾン株式会社（現  株式会社オゾンシステム）製  Ｏ−０２Ｔ−２）を用いてオゾン濃度が約３００ｐｐｂになるように調製した空気を送風機を用いて４ｍ３／時間の流量でカラムを通過させた。オゾン濃度測定器（ダイレック株式会社製  ｄａｓｉｂｉ  ＤＹ−１５００）を用いて、サンプルフィルタ通過前と通過後の空気に含まれるオゾン濃度をモニタし、オゾンの除去率を計算した。
【００２１】
実施例１、比較例１のフィルタについて試験例１で示した一酸化窒素無害化試験を実施したところ、実施例１の初期濃度が２５ｐｐｍ、８時間後濃度が１ｐｐｍであったのに対し、比較例１の初期濃度が２５ｐｐｍ、８時間後濃度が１２ｐｐｍであった。
【００２２】
実施例１、比較例１のフィルタについて試験例２で示したオゾン無害化試験を実施したところ、実施例１のオゾン除去率が６．０８％、比較例１のオゾン除去率が２．０１％であった。
【００２３】
これら試験例１、試験例２の結果は、フィルタに担持された抗酸化剤が空気中に含まれる活性酸素を無害化する効果を有することを示している。
【産業上の利用可能性】
【００２４】
本発明のエアフィルタは基材に抗酸化剤としてブドウ、コーヒー、月見草、エルダーベリー、ボイセンベリーのいずれか由来のポリフェノール類を担持することで効率よく空気中の活性酸素を無害化できるフィルタを提供できる。